(57)【要約】【課題】保管、運搬等において扱い易いように全体的に嵩張り少なくコンパクトに形成することができ、被支持物品を物品設置対象基体面上に設置するにあたって扱い易い物品支持脚を提供する。【解決手段】雄ねじ棒１１と、雄ねじ棒１１の下端部に雄ねじ棒と一体化させて連設された回し具係合部１２と、回し具係合部１２から下方へ回し具係合部と一体化させて連設された台座部１３とを含んでおり、台座部１３は下端面１３１が下方へ向け凸曲面に形成されている物品支持脚１。物品支持脚１に下敷き部材２を組み合わせた物品支持脚１’。【選択図】図１
2008196567.tif 000002
【特許請求の範囲】
【請求項１】
被支持物品を物品設置対象基体面上に支持する物品支持脚であり、該被支持物品に設けられた雌ねじ部に螺合されて回されることで該雌ねじ部下方への突出量が調整される雄ねじ棒と、該雄ねじ棒の下端部に該雄ねじ棒と一体化させて連設された回し具係合部と、該回し具係合部から下方へ該回し具係合部と一体化させて連設され、前記物品設置対象基体面上に配置される台座部とを含んでおり、該台座部は下端面が下方へ向け凸曲面に形成されていることを特徴とする物品支持脚。
【請求項２】
被支持物品を物品設置対象基体面上に支持する物品支持脚であり、該被支持物品に設けられた雌ねじ部に螺合されて回されることで該雌ねじ部下方への突出量が調整される雄ねじ棒と、該雄ねじ棒の下端部に該雄ねじ棒と一体化させて連設された回し具係合部と、該回し具係合部から下方へ該回し具係合部と一体化させて連設された台座部と、前記物品設置対象基体面と前記台座部との間に配置される下敷き部材とを含んでおり、該台座部は下端面が下方へ向け凸曲面に形成されていることを特徴とする物品支持脚。
【請求項３】
前記台座部の下端面は下方へ向け凸曲面を呈する球面に形成されている請求項１又は２記載の物品支持脚。
【請求項４】
前記雄ねじ棒、回し具係合部及び台座部を底面から見ると該台座部の外周輪郭が該回し具係合部の外周輪郭以内にある請求項１、２又は３記載の物品支持脚。
【発明の詳細な説明】
【技術分野】
【０００１】
本発明は各種機器類、各種家具、各種楽器類、各種スポーツ用具等の物品であってそれらを設置しようとする物品設置対象基体面（物品設置対象床面等）に所定高さに設置するために用いる物品支持脚に関する。
【背景技術】
【０００２】
この種の物品支持脚は、被支持物品に設けられた雌ねじ部に螺合されて回されることで該雌ねじ部下方への突出量が調整される雄ねじ棒及び該雄ねじ棒が立設された台座であって物品設置対象基体面上に配置される台座を含むものが一般的である。
【０００３】
このタイプの物品支持脚は、例えば特許第３０３５４７４号公報、特許第３１２９９０５号公報等に記載されている。
【特許文献１】特許第３０３５４７４号公報
【特許文献１】特許第３１２９９０５号公報
【発明の開示】
【発明が解決しようとする課題】
【０００４】
しかしながら、上記従来の物品支持脚は、雄ねじ棒が立設された台座がカップを伏せた、裾広がりの形状を呈しており、それなりに嵩張るものであり、その嵩張りのために、多数本の物品支持脚を集めると全体として相当嵩張ってくるので、それだけ保管、運搬等において扱いにくい。
【０００５】
また、雄ねじ棒はその回し操作が許されるように台座に立設されており、雄ねじ棒と台座間に少しぐらつきがあることがある。その場合、雄ねじ棒を被支持物品の雌ねじ部に螺合させる一方、該台座を物品設置対象基体面上に配置しようとするとき、台座を該基体面の所定部分に配置するのに手間取ることがある。
【０００６】
そこで本発明は、被支持物品を物品設置対象基体面上に支持する物品支持脚であって、保管、運搬等において扱い易いように全体的に嵩張り少なくコンパクトに形成することができ、被支持物品を物品設置対象基体面上に設置するにあたって扱い易い物品支持脚を提供することを課題とする。
【課題を解決するための手段】
【０００７】
前記課題を解決するため本発明は次の第１及び第２の物品支持脚を提供する。
（１）第１の物品支持脚
被支持物品を物品設置対象基体面上に支持する物品支持脚であり、該被支持物品に設けられた雌ねじ部に螺合されて回されることで該雌ねじ部下方への突出量が調整される雄ねじ棒と、該雄ねじ棒の下端部に該雄ねじ棒と一体化させて連設された回し具係合部と、該回し具係合部から下方へ該回し具係合部と一体化させて連設され、前記物品設置対象基体面上に配置される台座部とを含んでおり、該台座部は下端面が下方へ向け凸曲面に形成されている物品支持脚。
【０００８】
（２）第２の物品支持脚
被支持物品を物品設置対象基体面上に支持する物品支持脚であり、該被支持物品に設けられた雌ねじ部に螺合されて回されることで該雌ねじ部下方への突出量が調整される雄ねじ棒と、該雄ねじ棒の下端部に該雄ねじ棒と一体化させて連設された回し具係合部と、該回し具係合部から下方へ該回し具係合部と一体化させて連設された台座部と、前記物品設置対象基体面と前記台座部との間に配置される下敷き部材とを含んでおり、該台座部は下端面が下方へ向け凸曲面に形成されている物品支持脚。
【０００９】
本発明に係る第１の物品支持脚は、その雄ねじ棒を被支持物品に予め設けられた雌ねじ部に螺合させ、回し具係合部に回し具を係合させて該回し具で雄ねじ棒を回して該雌ねじ部下方への雄ねじ棒突出量を調整する一方、台座部を物品設置対象基体面（物品設置床面等）上に配置することで、該被支持物品を物品設置対象基体面から所望の高さに支持することができる。
【００１０】
この物品支持脚の設置にあたっては、物品設置対象基体面に配置される台座部は雄ねじ棒及び回し具係合部とともに回されるが、台座部下端面は下方へ向け凸曲面に形成されているので、被支持物品の重量に対して該基体面が柔らかすぎて台座部が該基体面に回し動かし不能なほどに大きくめり込まないのであれば、該台座部はその下方へ向け凸曲面に形成された下端面において物品設置対象基体面に接触抵抗少なく接触し、それにより雄ねじ棒、回し具係合部及び台座部からなる部分を回すことができる。
【００１１】
本発明に係る第２の物品支持脚も、その雄ねじ棒を被支持物品に予め設けられた雌ねじ部に螺合させ、回し具係合部に回し具を係合させて該回し具で雄ねじ棒を回して該雌ねじ部下方への雄ねじ棒突出量を調整する一方、台座部を物品設置対象基体面（物品設置床面等）上に下敷き部材を介して配置することで、該被支持物品を物品設置対象基体面から所望の高さに支持することができる。
【００１２】
この物品支持脚の設置においては、物品設置対象基体面が傷つくことが許されない場合や、被支持物品の重量に対して物品設置対象基体面が柔らかすぎて台座部を直接該基体面に配置すると台座部が該基体面に回し動かし不能なほどに大きくめり込むような場合等においても、下敷き部材を介して台座部を該基体面上に配置できるので台座部を回し動かすことができる。
【００１３】
本発明に係る第１、第２の物品支持脚によると、雄ねじ棒、回し具係合部及び台座部は一体化させて形成されており、台座部は下端面が下方へ向け凸曲面に形成されており、従ってこれらの部分を全体的にコンパクトに形成して、それだけ保管、運搬等において扱い易くできる。また、雄ねじ棒、回し具係合部及び台座部は一体化させて形成されているので、被支持物品を物品設置対象基体面上に設置するにあたって扱い易い。
【００１４】
前記回し具係合部としては、平面から見ると４角形、６角形等の多角形に形成されていてスパナ、モンキ等の回し具を係合させることができるもの、平面から見ると円形等に角張らないように形成されているがパイプ回し具（チエーントング等と称されているもの等）を係合させることができるもの、さらにはそのように平面から見て円形等に角張らないように形成されていて外周面に滑り止めの刻みが形成さているもの、回し具として使用できる棒を突っ込む或いは貫通させる穴が形成されているものなど、種々のタイプのものを採用できる。
【００１５】
台座部の形態としては、その下端面が、前記第１の物品支持脚の場合は物品設置対象基体面に、前記第２の物品支持脚の場合は前記下敷き部材に、支持対象である被支持物品の重量のもとで台座部を回し動かすことができるように点接触状態（点接触及び台座部を回し動かすことができる程度に小さい接触面積による接触の状態の双方を含む）で接触するように、該下端面が下方へ向け凸曲面に形成されていればよい。
【００１６】
例えば、該台座部下端面が下方へ向け凸曲面を呈する球面に形成されている台座部を挙げることができる。しかし、物品設置対象基体面や下敷き部材に接触しない下端面以外の表面は平坦面、凹凸面、これらの組み合わせからなる面等に形成されていても構わない。      
【００１７】
前記下敷き部材は、台座部が実質上めり込まない（めり込まない、或いはめり込んでも無視できる程度である）ように硬い材料から形成することができる。かかる下敷き部材として、金属、合成樹脂、これらの組み合わせからなるものを例示できる。
【００１８】
一体化させて形成された雄ねじ棒、回し具係合部及び台座部からなる部分をよりコンパクト化するために、前記雄ねじ棒、回し具係合部及び台座部からなる部分を底面から見ると該台座部の外周輪郭が該回し具係合部の外周輪郭以内にあるようにしてもよい。
【発明を実施するための最良の形態】
【００１９】
以下、本発明の実施形態を図面を参照して説明する。
図１は、本発明に係る物品支持脚の１例を示している。図２は図１に示す物品支持脚の底面図である。
図１、図２に示す物品支持脚１は、雄ねじを形成した雄ねじ棒１１と、雄ねじ棒１１の下端部に該雄ねじ棒と一体的に形成された回し具係合部１２と、回し具係合部１２から下方へ該回し具係合部と一体的に形成された台座部１３とからなるものである。
【００２０】
回し具係合部１２は本例では平面から見ると６角形状を呈している。台座部１３は本例では下方へ向け凸曲面を呈する半球状のものであり、下端面１３１は球面である。
図２から分かるように、底面から見ると、台座部１３の外輪郭は回し具係合部１２の外輪郭内にコンパクトにおさまっている。
【００２１】
物品支持脚１によると、雄ねじ棒１１を支持対象である被支持物品３に予め設けられた雌ねじ部３１に螺合させ、回し具係合部１２に図示省略のスパナ、モンキ等の回し具を係合させて該回し具で雄ねじ棒１１を回して雌ねじ部３１下方への雄ねじ棒突出量を調整する一方、台座部１３を物品設置対象基体面（物品設置床面等）Ｆ上に配置することで、該被支持物品３を物品設置対象基体面Ｆから所望の高さに支持することができる。
【００２２】
この物品支持脚１の設置においては、物品設置対象基体面Ｆに配置される台座部１３は雄ねじ棒１１及び回し具係合部１２とともに回されるが、台座部１３の下端面１３１は下方へ向け凸曲面に形成された球面を呈しているので、被支持物品３の重量に対して該基体面Ｆが柔らかすぎて台座部１３が該基体面に回し動かし不能なほどに大きくめり込まないのであれば、台座部１３はその下端面１３１において物品設置対象基体面Ｆに点接触あるいはそれに近い状態で接触抵抗少なく接触し、それにより雄ねじ棒、回し具係合部及び台座部からなる物品支持脚１を回すことができる。
【００２３】
物品３を所望どおり支持できるように物品支持脚１を設定したあと、予め雄ねじ棒１１に螺合させておいたロックナットＮにより雄ねじ棒１１の雌ねじ部３１に対する回り止めをしてもよい。
【００２４】
図３は、本発明に係る物品支持脚の他の例を示している。
図３に示す物品支持脚１’は、図１に示す物品支持脚１に下敷き部材２を組み合わせたものである。図１に示す物品支持脚１と同じ部品、部分等には図１と同じ参照符号を付してある。
【００２５】
下敷き部材２は金属或いは硬質の合成樹脂から形成されており、上面中央部に台座部１３が嵌まり座る凹部２１を有している。
【００２６】
物品支持脚１’も、その雄ねじ棒１１を支持対象である被支持物品３’に予め設けられた雌ねじ部３１に螺合させ、回し具係合部１２に図示省略の回し具を係合させて該回し具で雄ねじ棒１１を回して雌ねじ部３１下方への雄ねじ棒突出量を調整する一方、台座部１３を物品設置対象基体面（物品設置床面等）Ｆ’上に下敷き部材２を介して配置することで、被支持物品３’を物品設置対象基体面Ｆ’から所望の高さに支持することができる。      
【００２７】
このとき、物品設置対象基体面Ｆ’が傷つくことが許されない場合や、被支持物品３’の重量に対して物品設置対象基体面Ｆ’が柔らかすぎて台座部１３を直接該基体面Ｆ’に配置すると台座部１３が該基体面に回し動かし不能なほどに大きくめり込むような場合等においても、下敷き部材２を介して台座部１３を該基体面Ｆ’上に配置できるので、台座部１３等を該下敷き部材上で回し動かすことができる。
【００２８】
以上説明した物品支持脚１、１’によると、雄ねじ棒１１、回し具係合部１２及び台座部１３は一体的に形成されており、台座部１３は下端面が下方へ向け凸曲面に形成されており、これらの部分を全体的にコンパクトに形成して、それだけ保管、運搬等において扱い易くできる。また、雄ねじ棒１１、回し具係合部１２及び台座部１３は一体的に形成されているので、被支持物品１、１’を物品設置対象基体面Ｆ、Ｆ’上に設置するにあたって扱い易い。
【００２９】
物品支持脚１、１’における回し具係合部１２は平面から見ると６角形を呈するものであったが、回し具係合部１２はこれに限定されるものではなく、例えば、６角形以外の他の多角形を呈するものでもよく、また、平面からみると円形のもので、チエーントング等のパイプ回し具を係合させて回せるものや、図４に示すように平面から見ると円形で、外周面に滑り止めの刻みを形成したもの１２ａ等、種々のタイプのものを採用できる。
【００３０】
また、台座部の形態としては、前記台座部１３のものに限定されることはなく、その下端面が、物品支持脚１の場合は物品設置対象基体面Ｆに、物品支持脚１’の場合は下敷き部材２に、支持対象である被支持物品３、３’の重量のもとでは台座部を回し動かすことができるように点接触状態（点接触及び台座部を回し動かすことができる程度に小さい接触面積による接触の状態の双方を含む接触状態）で接触するように、該下端面が下方へ向け凸曲面に形成されていればよい。
【００３１】
例えば、(1) 図５に示すように回し具係合部１２に続く部分１３２が短円柱形であり、その下に下端面が下方へゆるやかな凸曲面を呈する部分１３３が連続している台座部１３ａ、(2) 図６に示すように回し具係合部１２に連続して形成され、下端面のうち最下端面１３４が小さい面積の円形平坦面であるように下端面が下方へ凸曲面を呈している台座部１３ｂなど、種々の形態のものを採用できる。
【００３２】
なお、図４、図５、図６にそれぞれ示される場合においても、底面から見ると、台座部（１３等）の外輪郭は回し具係合部（１２等）の外輪郭以内にコンパクトにおさまっている。
【００３３】
前記物品支持脚１、１’では、回し具係合部１２は雄ねじ棒１１及び台座部１３とそれぞれ一体的に形成されていたが、雄ねじ棒と回し具係合部の一体化は、これらを当初から一体的に形成する場合に限定されない。例えば図７に示すように、雄ねじ棒１１の下端部に雄ねじ部１１１を形成しておき、この雄ねじ部１１１を回し具係合部（１２等、図示例では１２）の上面から形成した雌ねじ穴１２１に螺合緊締させることで雄ねじ棒１１と回し具係合部（１２等）とを一体化する等してもよい。
【００３４】
また、回し具係合部（１２等）と台座部（１３等）との一体化についても、これらを当初から一体的に形成する場合に限定されない。例えば台座部（１３等）の上面に雄ねじ部を突設しておき、これを回し具係合部（１２等）の下面側から形成しておいた雌ねじ部に螺合緊締することで、これら両者を一体化する等してもよい。
【産業上の利用可能性】
【００３５】
本発明は、被支持物品を物品設置対象基体面上に支持する物品支持脚であって、保管、運搬等において扱い易いように全体的に嵩張り少なくコンパクトに形成することができ、被支持物品を物品設置対象基体面上に設置するにあたって扱い易い物品支持脚を提供することに利用できる。
【図面の簡単な説明】
【００３６】
【図１】本発明に係る物品支持脚の１例の、使用状態例での正面図である。
【図２】図１の物品支持脚の底面図である。
【図３】本発明に係る物品支持脚の他の例の、使用状態例での、一部を断面で示す正面図である。
【図４】本発明に係る物品支持脚における回し具係合部の他の例を示す図である。
【図５】本発明に係る物品支持脚における台座部の他の例を示す図である。
【図６】本発明に係る物品支持脚における台座部のさらに他の例を示す図である。
【図７】本発明に係る物品支持脚における雄ねじ棒と回し具係合部との一体化の他の例を示す図である。
【符号の説明】
【００３７】
１、１’  物品支持脚
１１  雄ねじ棒
１２、１２ａ  回し具係合部
１３、１３ａ、１３ｂ  台座部
２  下敷き部材
３、３’  被支持物品
３１  雌ねじ部
Ｆ、Ｆ’  物品設置対象基体面
Ｎ  ロックナット
【図１】
2008196567.tif 000003
【図２】
2008196567.tif 000004
【図３】
2008196567.tif 000005
【図４】
2008196567.tif 000006
【図５】
2008196567.tif 000007
【図６】
2008196567.tif 000008
【図７】
2008196567.tif 000009